(57)【要約】【課題】自動検針等で用いる端末網制御装置において、ＶｏＩＰアダプタが接続された電話回線での端末発呼通信を正確に行わせることを可能にするものである。【解決手段】電話回線２に接続されデータ通信時の回線インピーダンスの整合を行う回線網制御手段４と、電話回線２に接続されたＶｏＩＰアダプタ３の有無を検出するＶｏＩＰ検出手段５ａと、センターからの応答信号を判別するアンサートーン検出手段５ｂと、データの変調・復調を行うモデム手段５ｃを備えた通信処理部５と、メータ等と通信するためのメータインターフェイス部９と、前記回線網制御手段４、通信処理部５、メータインタフェース部９を制御すると共に加入者回線での発呼を指示する否かを選択する加入者回線発呼選択手段６ａを備えた制御部６から構成される。【選択図】  図１
2005012416.tif 000002
【特許請求の範囲】
【請求項１】
電話回線に接続されデータ通信時の回線インピーダンスの整合を行う回線網制御手段と、電話回線に接続されたＶｏＩＰ（Ｖｏｉｃｅ  ｏｖｅｒ  Ｉｎｔｅｒｎｅｔ  Ｐｒｏｔｏｃｏｌ）アダプタの有無を検出するＶｏＩＰ検出手段と、センターからの応答信号を判別するアンサートーン検出手段と、データの変調・復調を行うモデム手段を備えた通信処理部と、メータ等と通信するためのメータインターフェイス部と、前記回線網制御手段、通信処理部、メータインタフェース部を制御すると共に加入者回線での発呼を指示する否かを選択する加入者回線発呼選択手段を備えた制御部から構成される端末網制御手段。
【請求項２】
ＩＰ（Ｉｎｔｅｒｎｅｔ  Ｐｒｏｔｏｃｏｌ）電話専用番号を付加するか、加入者回線を選択するかどうかを決定するＩＰ電話発呼選択手段を備えた請求項１記載の端末網制御装置。
【請求項３】
ＩＰ電話での発信時にプッシュボタン信号でダイヤルするＰＢ（Ｐｕｓｈ  Ｂｕｔｔｏｎ）発呼設定手段を備えた請求項１または２記載の端末網制御装置。
【請求項４】
メータインタフェース部からの電文を解析する電文解析手段と、前記電文解析手段の結果により加入者回線での発呼またはＩＰ電話での発呼かを選択する加入者回線選択手段を備えた１〜３のいずれか１項に記載の端末網制御装置。
【発明の詳細な説明】
【０００１】
【発明の属する技術分野】
本発明はアナログ電話回線に接続される網制御装置に関するもので、主に自動検針等でメータ端末の情報をセンター装置に伝送する端末発間での通信制御に用いる低電源電圧で動作する端末網制御装置に関する。
【０００２】
【従来の技術】
従来の端末網制御装置は電話回線との直流・交流インピーダンスの整合を行う回線網制御手段やデータの変調や復調を行うモデム手段などを備え、接続されたメータ等からの発呼指示を受けた場合に、予め設定されていた電話番号をダイヤルしセンターと接続しデータ通信を行うように構成されている（例えば、特許文献１参照）。
【０００３】
図５に従来のオフフック検出機能を備えた端末網制御装置を示す。１は端末網制御装置であり、電話回線に接続されデータ通信時の回線インピーダンスの整合を行う回線網制御手段４と、センターからの応答信号を判別するアンサートーン検出手段５ｂと、データの変調・復調を行うモデム手段５ｃを備えた通信処理部５と、メータ等と通信するためのメータインターフェイス部９と、前記回線網制御手段４、通信処理部５、メータインタフェース部９を制御すると共に発呼先電話番号を記憶した発呼電話番号記憶手段６ｆを備えている。
【０００４】
ここで、図示はしないが端子Ｍ１，Ｍ２に接続されたメータから電話回線２を介してセンターにデータを送信するいわゆる端末発呼動作を行う場合、まずメータインターフェイス部９からの電文を制御部６が検知する。制御部６は回線網制御手段４を制御し発呼電話番号記憶手段６ｆの内容をダイヤルする。センターが着信すると応答信号を返信しアンサートーン検出手段５ｂがこれを検知すると、モデム手段５ｃを介してセンターとのデータ通信が行われるように動作する。図４では電話回線端子Ｌ１，Ｌ２にＩＰ電話アダプタであるＶｏＩＰアダプタ３が接続されているが、端末網制御手段１はＶｏＩＰアダプタの有無にかかわらず発呼電話番号記憶手段６ｆの内容をダイヤルするたけであった。
【０００５】
なお、８はリレー部であり、電話機７と、ＶｏＩＰアダプタ３と回線網制御手段４間の回線との接続または切断を行う。
【０００６】
【特許文献１】
特開平０６−３０３３３１号公報
【０００７】
【発明が解決しようとする課題】
しかしながら、前記従来のような端末網制御装置１では、ＶｏＩＰアダプタが接続されていると自動的にインターネットを介してデータ通信が行われることがある。インターネットを使用したＩＰ電話ではＵＤＰ／ＩＰ（Ｕｓｅｒ  Ｄａｔａｇｒａｍ  Ｐｒｏｔｏｃｏｌ／Ｉｎｔｅｒｎｅｔ  Ｐｒｏｔｏｃｏｌ）プロトコルを使用しているためデータ通信品質が劣り、データが正確にセンターへ通報されるかどうかは保障されないため、データ通信が成功するまで何度も電話回線を接続するように動作することがある。
【０００８】
本発明は、前記従来の課題を解決するもので、ＩＰ電話での端末発呼動作が失敗する場合は加入者回線に切替てデータ通信を行い、確実に端末発呼を行うことができる端末網制御装置を提供することを目的とする。
【０００９】
【課題を解決するための手段】
前記従来の課題を解決するために、本発明の端末網制御装置は、電話回線にＶｏＩＰアダプタが接続されているかどうかを検出するＶｏＩＰ検出手段を設け、ＩＰ電話でデータ通信が失敗している場合に加入者回線を使用するように動作させるように構成したものである。
【００１０】
【発明の実施の形態】
請求項１に記載の発明は、電話回線に接続されデータ通信時の回線インピーダンスの整合を行う回線網制御手段と、電話回線に接続されたＶｏＩＰアダプタの有無を検出するＶｏＩＰ検出手段と、センターからの応答信号を判別するアンサートーン検出手段と、データ通信を行うモデム手段を備えた通信処理部と、メータ等と通信するためのメータインターフェイス部と、前記回線網制御手段、通信処理部、メータインタフェース部を制御すると共に加入者回線での発呼を指示する否かを選択する加入者回線発呼選択手段を備えた制御部から構成することにより、正確な端末発呼通信を行うことが可能となる。
【００１１】
請求項２に記載の発明は、ＩＰ電話専用番号を付加するか、加入者回線を選択するかどうかを決定するＩＰ電話選択手段を備えことにより、ＩＰ電話に対応したセンターに通報を上げることができるため通信費を削減することが可能となる。
【００１２】
請求項３に記載の発明は、ＩＰ電話での発信時にプッシュボタン信号でダイヤルするＰＢ発呼手段を備えることにより、通信時間を短縮することが可能となる。
【００１３】
請求項４に記載の発明は、メータインタフェース部からの電文を解析する電文解析手段と、前記電文解析手段の結果により加入者回線での発呼またはＩＰ電話での発呼かを選択する加入者回線選択手段を備えることにより、重要な通報を確実に行うことが可能となる。
【００１４】
【実施例】
以下、本発明の実施例について図面を用いて説明する。
【００１５】
（実施例１）
図１は本発明の実施例１の端末網制御装置を示すブロック図である。図１において、１は端末網制御装置であり、電話回線２に接続されデータ通信時の回線インピーダンスの整合を行う回線網制御手段４と、電話回線２に接続されたＶｏＩＰアダプタ３の有無を検出するＶｏＩＰ検出手段５ａと、図示はしないが電話回線に接続されたセンター装置からの応答信号を判別するアンサートーン検出手段５ｂと、データの変調・復調を行うモデム手段５ｃを備えた通信処理部５と、メータ等と通信するためのメータインターフェイス部９と、前記回線網制御手段４、通信処理部５、メータインタフェース部９を制御すると共に加入者回線での発呼を指示する否かを選択する加入者回線発呼選択手段６ａを備えた制御部６から構成されている。
【００１６】
メータからの端末発呼要求が生じると端末網制御手段１は電話回線２にダイヤル発信を行いセンター装置との接続を行う。回線が接続されるとセンター装置から応答信号が送信され、アンサートーン検出手段５ｂがこれを受信し、その後モデム手段５ｃを使用してセンター装置とデータ通信を行う。また、この時にＶｏＩＰアダプタが動作しインターネット経由でセンター装置に接続された場合には、一般的にＶｏＩＰアダプタからも応答信号が出力される。ＶｏＩＰ検出手段５ａはこの応答出力を検出し電話がインターネット経由であることを判別する。
【００１７】
一方、インターネット経由での電話いわゆるＩＰ電話では回線の輻輳などによりＵＤＰ／ＩＰのプロトコルを使用しているためパケットが欠落し正常な通信が行われないことがある。加入者回線発呼選択手段６ａはＩＰ電話での通信が正常にできないことを確認すると、加入者回線を使用するように識別番号を付加し再ダイヤルを行いセンター装置と通信を行うように動作する。
【００１８】
以上のように、ＩＰ電話での発呼は低コストで行えるが、通信が正常に行われないときに自動的に加入者回線に切り替えるため、コストと通信の信頼性を両立させることが可能となる。
【００１９】
（実施例２）
図２は本発明の実施例２の端末網制御装置を示すブロック図である。制御部６にはダイヤル番号にＩＰ電話専用番号を付加するか、加入者回線を選択するかどうかを決定するＩＰ電話発呼選択手段を備えている。センター装置がＩＰ電話に対応している場合、センター装置側の着信をＩＰ電話で行わせるように発信ダイヤルの先頭にＩＰ電話専用番号を付加して発呼するように構成されている。また、上記内容でセンター装置に発呼したにもかかわらずデータ通信が正常に行われない場合には、ＩＰ電話発呼選択手段６ｂが自動的に加入者回線での発呼を行うように識別番号を付加し再ダイヤルを行いセンター装置と通信を行うように動作する。
【００２０】
以上のように、ＩＰ電話での発呼や着信は低コストで行えるが、通信が正常に行われないときに自動的に加入者回線に切り替えるため、コストと通信の信頼性を両立させることが可能となる。
【００２１】
（実施例３）
図３は本発明の実施例３の端末網制御装置を示すブロック図である。端末網制御装置１が発呼動作を行い電話回線にＶｏＩＰアダプタが接続されていることをＶｏＩＰ検出手段５ａが検出した場合、その後の電話の発呼をプッシュボタン信号でダイヤルするＰＢ発呼設定手段６ｃを備えている。ＶｏＩＰアダプタはダイヤルパルス（ＤＰ）、プッシュボタン（ＰＢ）信号を受け付け、加入者回線のＤＰ、ＰＢの契約に関係なくインターネット経由で発信されるように構成されている。ＰＢ発呼設定手段６ｃは電話回線にＶｏＩＰアダプタが接続されていることを検出すると、以後の発呼をＰＢで行い発信の時間を短縮する。
【００２２】
以上のように、ダイヤル時間を短縮することにより一刻も早い通報が可能となる。
【００２３】
（実施例４）
図４は本発明の実施例４の端末網制御装置を示すブロック図である。制御部６にはメータインタフェース部９からの電文を解析する電文解析手段６ｅと、前記電文解析手段６ｅの結果により加入者回線での発呼またはＩＰ電話での発呼かを選択する加入者回線選択手段６ｄを備えている。
【００２４】
メータインターフェイス部９からガス漏れなどのセキュリティに関する情報が上がってきた場合、電文解析手段６ｅがこれを判断する。電文解析手段６ｅがセキュリティ情報を検出した場合、あるいは、この情報をセンター装置に通報する場合には、加入者回線経由で発呼が行えるように発信のダイヤルを変えるように加入者回線選択手段６ｄが動作するように構成されている。
【００２５】
以上のように、ＩＰ電話での発呼を低コストで行なうも、重要な通信においては自動的に加入者回線に切り替えるため、コストと通信の信頼性を両立させることが可能となる。
【００２６】
【発明の効果】
以上のように、本発明によれば、端末網制御装置がＶｏＩＰの接続された電話回線に接続された場合にも、正確な端末発呼通信を行うことが可能となる。
なる。
【図面の簡単な説明】
【図１】本発明の第１の実施例における端末網制御装置の要部ブロック図
【図２】本発明の第２の実施例における端末網制御装置の要部ブロック図
【図３】本発明の第３の実施例における端末網制御装置の要部ブロック図
【図４】本発明の第４の実施例における端末網制御装置の要部ブロック図
【図５】従来の端末網制御装置の要部ブロック図
【符号の説明】
１  端末網制御装置
２  電話回線
３  ＶｏＩＰアダプタ
４  回線網制御装置
５  通信処理部
５ａ  ＶｏＩＰ検出手段
５ｂ  アンサートーン検出手段
５ｃ  モデム手段
６  制御部
６ａ  加入者回線発呼選択手段
６ｂ  ＩＰ電話発呼選択手段
６ｃ  ＰＢ発呼設定手段
６ｄ  加入者回線選択手段
６ｅ  電文解析手段
９  メータインタフェース部
【図１】
2005012416.tif 000003
【図２】
2005012416.tif 000004
【図３】
2005012416.tif 000005
【図４】
2005012416.tif 000006
【図５】
2005012416.tif 000007